(57)【要約】【課題】農業用ハウス内の温度分布ムラを減らし、且つハウス内の保温効果を高めて、燃料費を削減する。【解決手段】農業用ハウス１１内に設置された暖房機からの加熱空気が送気される農業用ハウス用暖房内壁１００であって、農業用ハウス１１の長手方向に沿う側壁１９と略同一面積を有し、農業用ハウス内で両側壁１９，１９に対面して懸吊され、上下長辺部が閉塞して面内が複数箇所で溶着された二重の樹脂シート材からなり、長手方向一端が加熱空気の供給される給気開口３７を残して閉塞されるとともに、長手方向他端が開放される。また、農業用ハウス用暖房内壁は、方形樹脂シート材が半分に折り曲げられ折り曲げ辺部が下長辺部となるとともに、反対側の辺部同士が溶着されて上長辺部となり、重ねられた樹脂シート材の面内が複数の線状溶着部４３にて溶着されることが好ましい。【選択図】      図１
2009207410.tif 000002
【特許請求の範囲】
【請求項１】
農業用ハウス内に設置され吸気した該農業用ハウス内の空気を加熱して吹き出す暖房機からの加熱空気が送気される農業用ハウス用暖房内壁であって、
前記農業用ハウスの長手方向に沿う側壁と略同一面積を有し該農業用ハウス内で両側壁に対面して懸吊され上下長辺部が閉塞して面内が複数箇所で溶着された二重の樹脂シート材からなり長手方向一端が前記加熱空気の供給される給気開口を残して閉塞されるとともに長手方向他端が開放されることを特徴とする農業用ハウス用暖房内壁。
【請求項２】
１枚の方形樹脂シート材が半分に折り曲げられ折り曲げ辺部が前記下長辺部となるとともに、該折り曲げ辺部と反対側の一対の辺部同士が溶着されて前記上長辺部となり、重ねられた該二重の樹脂シート材の面内が千鳥状に配置された複数の線状溶着部にて溶着されたことを特徴とする請求項１記載の農業用ハウス用暖房内壁。
【請求項３】
前記農業用ハウス内で前記側壁に沿って立設される複数の支柱に内側面が当接されたことを特徴とする請求項１又は２記載の農業用ハウス用暖房内壁。
【請求項４】
前記樹脂シート材には前記加熱空気を排出する複数の小孔が穿設されたことを特徴とする請求項１，２，３のいずれか１つに記載の農業用ハウス用暖房内壁。
【請求項５】
前記小孔が、前記二重の樹脂シート材の双方に穿設されたことを特徴とする請求項４記載の農業用ハウス用暖房内壁。
【請求項６】
前記小孔が、前記二重の樹脂シート材のうち農業用ハウス内側の樹脂シート材のみに穿設されたことを特徴とする請求項４記載の農業用ハウス用暖房内壁。
【請求項７】
前記下長辺部には、複数のドレン孔が該下長辺部に沿って穿設されたことを特徴とする請求項１〜６のいずれか１つに記載の農業用ハウス用暖房内壁。
【請求項８】
前記二重の樹脂シート材の前記下長辺部又は高さ方向中途位置には、該二重の樹脂シート材を巻回する水平方向の巻き上げ用パイプが長辺部に沿って設けられたことを特徴とする請求項１〜７のいずれか１つに記載の農業用ハウス用暖房内壁。
【発明の詳細な説明】
【技術分野】
【０００１】
本発明は、農業用ハウス内の空気を加熱して吹き出す暖房機が設置された農業用ハウスに好適に用いることのできる農業用ハウス用暖房内壁に関する。
【背景技術】
【０００２】
農業用ハウスは、葉野菜、根野菜、花卉、果樹類等の栽培時の保温において、ガラス温室に比べ軽量であり、設置費用も安価であることから、産業上高い利用性を有している。このように優れた利点を有する農業用ハウスであるが、冬季や気温低下時には、さらに暖房機を設置することにより、ハウス内を暖めて、より良い作物の育成環境を作る場合がある。
【０００３】
暖房機としては、一般的に、農業用ハウス内に設置され、吸気したハウス内の空気を加熱して吹き出す温風吹出式のものが用いられる。ハウス室内にはダクト（例えば、特許文献１参照）が巡らされ、このダクトに加熱空気を送気することで、ダクトに穿設された小孔より温風を送り出し、ハウス内温度を上昇させる。通常、これら、ダクトは、床面に這わせたり、天井より吊り下げられていた。また、ハウス内においては、温度ムラが起きないよう、循環用のファンが併用されることもある。
【０００４】
暖房機は、ハウス内に設けられた温度センサにて自動運転される。したがって、所望の設定温度よりハウス内温度が低ければ稼働し、ハウス内の温度が設定温度に達すると、温度センサにて検出され、制御手段にて暖房機の運転が停止された。そして、農業用ハウス全体からの放熱、換気、出入口、隙間等からの熱損失によりハウス内温度が設定温度より下がれば、再び制御手段にて暖房機が稼働され、設定温度となるまで暖房機が稼働された。
【特許文献１】特開２００５−１７号公報
【発明の開示】
【発明が解決しようとする課題】
【０００５】
しかしながら、農業用ハウスの外壁は、１枚の樹脂シート材又はガラスのみからなるため、外気との断熱性、遮蔽性が低く、ハウス内の環境を均等に保つことが困難であった。このため、従来、農業用ハウスでは、側壁に沿って、温風ダクトを配置して温度低下を防いだり、側壁部分にビニルシートを二重に張り、外気の影響を受け難くするよう工夫がなされていた。特に、左右側部と妻面部においては外気温低下の影響を受け易く、開花結実しないなど作物の生育に影響の生じる問題があった。一方、左右側部と妻面部における温度を高めるため、暖房機の設定温度を高くすれば、左右側部と妻面部の温度は上昇するものの、ハウス中央部の温度が高くなりすぎ、暖房機の稼働時間が長くなり、燃料費を増大させた。
【０００６】
本発明は上記状況に鑑みてなされたもので、農業用ハウス内の温度分布のムラが減り、且つハウス内の保温効果が高まる農業用ハウス用暖房内壁を提供し、もって、暖房機の稼働時間を減らし、燃料費の削減を図ることを目的とする。
【課題を解決するための手段】
【０００７】
次に、上記の課題を解決するための手段を、実施の形態に対応する図面を参照して説明する。
本発明の請求項１記載の農業用ハウス用暖房内壁は、農業用ハウス１１内に設置され吸気した該農業用ハウス１１内の空気を加熱して吹き出す暖房機２５からの加熱空気が送気される農業用ハウス用暖房内壁１００であって、
前記農業用ハウス１１の長手方向と妻面部に沿う側壁１９と略同一面積を有し該農業用ハウス１１内で両側壁１９，１９に対面して懸吊され上下長辺部３１が閉塞して面内が複数箇所で溶着された二重の樹脂シート材３５からなり長手方向及び妻面部の一端が前記加熱空気の供給される給気開口３７を残して閉塞されるとともに長手方向及び妻面部の他端が開放されることを特徴とする。
【０００８】
この農業用ハウス用暖房内壁では、給気開口３７から加熱空気が送気されることで、農業用ハウス側壁１９や妻面部とハウス内部の間に、高温の内壁が介在することとなり、農業用ハウス１１内の温度分布のムラが減り、且つハウス内の保温効果が高まる。農業用ハウス１１の外壁に加え、側壁及び妻壁がさらに１枚増える。側壁１９及び妻壁に近い作物に対しては、外気との遮蔽性が従来より高まる。
【０００９】
請求項２記載の農業用ハウス用暖房内壁は、１枚の方形樹脂シート材３５が半分に折り曲げられ折り曲げ辺部が前記下長辺部３３となるとともに、該折り曲げ辺部と反対側の一対の辺部同士が溶着されて前記上長辺部３１となり、重ねられた該二重の樹脂シート材３５の面内が千鳥状に配置された複数の線状溶着部４３にて溶着されたことを特徴とする。
【００１０】
この農業用ハウス用暖房内壁では、折り曲げ辺部によって下長辺部３３の溶着が省略され、且つ溶着不良による強度低下の虞がなくなる。
【００１１】
請求項３記載の農業用ハウス用暖房内壁は、前記農業用ハウス１１内で前記側壁１９に沿って立設される複数の支柱４７に内側面１００ａが当接されたことを特徴とする。
【００１２】
この農業用ハウス用暖房内壁では、加熱空気が送気されると、二重の樹脂シート材３５が溶着部以外の部分で離反して膨張する。二重の樹脂シート材３５のうち農業用ハウス１１内側の樹脂シート材３５が支柱４７に当接し、農業用ハウス内側への内壁１００の膨出が規制される。
【００１３】
請求項４記載の農業用ハウス用暖房内壁は、前記樹脂シート材３５には前記加熱空気を排出する複数の小孔が穿設されたことを特徴とする。
【００１４】
この農業用ハウス用暖房内壁では、給気開口３７から加熱空気が送気されることで、内壁１００内が正圧となり、加熱空気の一部が小孔から農業用ハウス１１内へ排出される。
【００１５】
請求項５記載の農業用ハウス用暖房内壁は、前記小孔が、前記二重の樹脂シート材３５，３５の双方に穿設されたことを特徴とする。
【００１６】
この農業用ハウス用暖房内壁では、外側の樹脂シート材３５の小孔から排出される暖気によって外部との温度勾配が小さくなる。また、内側の樹脂シート材３５の小孔から排出される暖気によって、ハウス内が暖かい多数の微小排気流によって撹拌される。
【００１７】
請求項６記載の農業用ハウス用暖房内壁は、前記小孔が、前記二重の樹脂シート材３５のうち農業用ハウス内側の樹脂シート材３５のみに穿設されたことを特徴とする。
【００１８】
この農業用ハウス用暖房内壁では、内側の樹脂シート材３５の小孔から排気される暖気によって、ハウス内が撹拌される。外側の樹脂シート材３５には小孔が穿設されないことで、内壁内に送気される加熱空気の洩れ量が少なくなり、搬送熱量の低下が抑止される。
【００１９】
請求項７記載の農業用ハウス用暖房内壁は、前記下長辺部３３には、複数のドレン孔が該下長辺部３３に沿って穿設されたことを特徴とする。
【００２０】
この農業用ハウス用暖房内壁では、温度差で生じた結露水が二重の樹脂シート材３５，３５の間からドレン孔を介して、重力により自然に外部へ排水される。
【００２１】
請求項８記載の農業用ハウス用暖房内壁は、前記二重の樹脂シート材３５，３５の前記下長辺部３３又は高さ方向中途位置には、該二重の樹脂シート材３５，３５を巻回する水平方向の巻き上げ用パイプが長辺部に沿って設けられたことを特徴とする。
【００２２】
この農業用ハウス用暖房内壁では、暖房不要時、巻き上げ用パイプが回転・上昇されることで、二重の樹脂シート材３５，３５が巻き上げられ、農業用ハウス側壁１９に設けられた換気口等が表出する。
【発明の効果】
【００２３】
本発明に係る請求項１記載の農業用ハウス用暖房内壁によれば、農業用ハウス側壁・妻面と略同一面積を有しこの農業用ハウス四方側壁に対面して懸吊され上下長辺部が閉塞して面内が複数箇所で溶着された二重の樹脂シート材からなり長手方向一端が加熱空気の供給される給気開口を残して閉塞されるとともに長手方向及び妻面部他端が開放されるので、給気開口から加熱空気を送気することで、農業用ハウス側壁・妻面とハウス内部の間に、高温の内壁が介在することとなり、農業用ハウス内の温度分布のムラが減り、且つハウス内の保温効果が高まる。この結果、ハウス全体の暖房運転時間を減らすことができ、燃料費を削減することができる。また、農業用ハウスの外壁に加え、側壁がさらに１枚増えたことで、隙間風などの流入をより確実に防ぐことができ、ハウス内の環境を均等に保つことができる。さらに、側壁に近い作物に対しては、外気との遮蔽性が従来より高まり、低温障害が生じず、作物の良好な生育が可能となる。
【００２４】
請求項２記載の農業用ハウス用暖房内壁によれば、一枚の方形樹脂シート材が半分に折り曲げられ折り曲げ辺部が下長辺部となるとともに、反対側の一対の辺部同士が溶着されて上長辺部となり、重ねられた二重の樹脂シート材の面内が千鳥状に配置された線状溶着部にて溶着されるので、折り曲げ辺部によって下長辺部の溶着を省略しながら強度を高めることができ、各溶着部分によって区画されずに流路を形成して、また、溶着部分が千鳥状であることで送気時にシートの断面が円筒状に膨張せず、少ない溶着部で安価に、且つ耐久性の高い農業用ハウス用暖房内壁を見栄え良く製作することができる。
【００２５】
請求項３記載の農業用ハウス用暖房内壁によれば、農業用ハウス内で側壁・妻面に沿って立設される複数の支柱に内側面が当接されるので、加熱空気の送気による膨張によっても、支柱によって農業用ハウス内側への内壁の膨出が規制され、作物との干渉を確実に防止できる。
【００２６】
請求項４記載の農業用ハウス用暖房内壁によれば、樹脂シート材には加熱空気を排出する複数の小孔が穿設されるので、ハウス内の暖房をムラなく高効率に行うことができる。
【００２７】
請求項５記載の農業用ハウス用暖房内壁によれば、小孔が、二重の樹脂シート材の双方に穿設されるので、外側の樹脂シート材の小孔から排出される暖気によって外部との温度勾配を小さくして保温性を高めることができるととも、内側の樹脂シート材の小孔から排出される暖気によって、ハウス内の暖房をムラなく行うことができる。
【００２８】
請求項６記載の農業用ハウス用暖房内壁によれば、小孔が、二重の樹脂シート材のうち農業用ハウス内側の樹脂シート材のみに穿設されるので、内側の樹脂シート材の小孔から排出される暖気によって、ハウス内の暖房をムラなく行うことができ、外側の樹脂シート材には小孔が穿設されないことで、内壁内に送気される加熱空気の洩れ量を少なくし搬送熱量の低下を抑止して、暖房内壁としての保温効果を高めることができる。
【００２９】
請求項７記載の農業用ハウス用暖房内壁によれば、下長辺部には、複数のドレン孔が穿設されるので、温度差で生じる結露水を二重の樹脂シート材間から自然に排水除去することができる。
【００３０】
請求項８記載の農業用ハウス用暖房内壁によれば、二重の樹脂シート材の下長辺部又は高さ方向中途位置に、二重の樹脂シート材を巻回する水平方向の巻き上げ用パイプが設けられるので、暖房不要時には巻き上げ用パイプによって二重の樹脂シート材を巻き上げて収納でき、農業用ハウス側壁に設けられた換気口等によって換気を行うことができる。
【発明を実施するための最良の形態】
【００３１】
以下、本発明に係る農業用ハウス用暖房内壁の好適な実施の形態を図面を参照して詳細に説明する。
図１は本発明に係る農業用ハウス用暖房内壁を備えた農業用ハウスの正面図である。
農業用施設ハウス１１は、支柱パイプ、アーチパイプ、桁パイプ等の骨組み１３に塩化ビニル系樹脂やポリオレフィン系樹脂フィルム等からなるシート材１５を展張したものであり、例えば屋根部１７が正面視三角形状の合掌型や、正面視半円形の蒲鉾型に形成され、図１に示す単棟型や図４に示す連棟型として設置される。農業用ハウス１１は、奥行き方向（図１の紙面垂直方向）が施工現場の面積によって、例えば１００ｍ前後で設置される。本実施の形態では骨組み１３にシート材１５を展張するものを例に説明するが、本発明はガラス張りハウスにも適用可能なものである。農業用ハウス１１内の両側壁１９，１９の上部近傍には奥行き方向に延在するパイプ又は番線等の懸吊部材２１，２１が設けられている。なお、図１中、２３は作物を植えつけるために間隔をおいて土を筋状に盛り上げた畝を示す。
【００３２】
図２は図１に示した農業用ハウスの平面図である。
農業用ハウス１１内の長手方向一端側である前面側（図２の下側）には暖房機２５が設置され、暖房機２５は吸気した農業用ハウス内の空気を加熱して左右及び上下の親ダクト２７，２７へ加熱空気を吹き出す。親ダクト２７，２７にはハウス奥行き方向へ延在する小断面積の分岐ダクト２９，２９、…が複数接続され、分岐ダクト２９には不図示の多数の小孔が穿設されている。
【００３３】
暖房機２５は、ハウス内に設けられた不図示の温度センサを備えた制御手段にて自動運転される。所望の設定温度よりハウス内温度が低ければ稼働し、ハウス内の温度が設定温度に達したことが温度センサにて検出されれば、不図示の制御手段にて運転が停止される。暖房機２５が稼働すると、加熱空気が親ダクト２７，２７を介して各分岐ダクト２９へ送気され、加熱空気が分岐ダクト２９の小孔から吹き出されることで、ハウス内温度を上昇させる。分岐ダクト２９は、床面に這わせたり、天井より吊り下げて配置してもよい。本実施の形態では親ダクト２７，２７、分岐ダクト２９が床面に配置される。自動停止した暖房機２５は、農業用ハウス内温度が設定温度より下がると、再び制御手段にて稼働され、設定温度となるまで継続運転される。
【００３４】
図３は図１に示した農業用ハウス用暖房内壁の正面視を（ａ）、側面視を（ｂ）で表した構成図、図４は発明に係る農業用ハウス用暖房内壁が設けられた連棟型農業用ハウスの斜視図である。なお、図３（ａ）は図３（ｂ）のＡ−Ａ断面を表す。
上記した懸吊部材２１，２１には本実施の形態による農業用ハウス用暖房内壁（以下、「暖房内壁」とも言う。）１００が垂れた状態に吊され（懸吊され）ている。暖房内壁１００は、農業用ハウス１１の長手方向に沿う側壁１９と略同一面積を有し、農業用ハウス内で両側壁１９，１９に対面して懸吊される。懸吊部材２１に対しては、暖房内壁１００の上縁を不図示の掛止手段を用いて固定できる。暖房内壁１００は、農業用ハウス１１が図４に示す連棟型農業用ハウス１１Ａの場合には、最も外側の左右両側壁１９，１９、すなわち外気との境となる側壁に対面して配設される。
【００３５】
暖房内壁１００は、上下長辺部３１，３３が閉塞して面内（方形外形の内側）が複数箇所で溶着された二重の樹脂シート材３５，３５からなる。長手方向一端は、加熱空気の供給される給気開口３７を残して接合部３９にて閉塞されるとともに、長手方向他端は開放口４１となって開放される。樹脂シート材３５は、厚さ０．０５〜０．０７５ｍｍの透明度のある、例えばポリオレフィン系フィルムを使用することができる。ポリオレフィン系フィルムとしては、農業用ポリエチレンフィルム、農業用エチレン・酢酸ビニル共同体樹脂フィルム、農業用ポリオレフィン系特殊フィルムを用いることができる。
【００３６】
暖房内壁１００は、例えば１枚の方形樹脂シート材３５を半分に折り曲げて製作することができる。この場合、折り曲げ辺部が下長辺部３３となるとともに、折り曲げ辺部と反対側の一対の辺部同士が溶着されて上長辺部３１となる。重ねられた二重の樹脂シート材３５，３５の面内は、千鳥状に配置された複数の線状溶着部４３にて溶着される。本実施の形態では、上下方向が２箇所の線状溶着部４３にて溶着されることで、図３（ａ）に示すように、上下方向に３つの送気路４５ａ，４５ｂ，４５ｃが形成され、それぞれの送気路４５ａ，４５ｂ，４５ｃは連通され流路となる。
【００３７】
本実施の形態のように、一枚の方形樹脂シート材３５が半分に折り曲げられて製作された暖房内壁１００によれば、折り曲げ辺部によって下長辺部３３の溶着を省略しながら強度を高めることができる。これにより、少ない溶着部で安価に、且つ耐久性に優れた暖房内壁１００を見栄え良く製作することができる。
【００３８】
暖房内壁１００からの親ダクト２７，２７は、通常下部に接続するが、設置場所に応じて、高さ位置のどの位置でも接続可能となる。その場合には、端部の接合部３９（綴じ代）を変えて接着すればよい。なお、接合部３９は、粘着テープ、ホッチキス（商品名）等にて接合する。また、親ダクト２７の端部は挿入のみとし、固定しなくてもよい。
【００３９】
暖房内壁１００は、側壁１９に沿って立設される複数の支柱４７に内側面１００ａが当接されてもよい。暖房内壁１００は、加熱空気が送気されると、二重の樹脂シート材３５，３５が溶着部以外の部分で離反して膨張する。二重の樹脂シート材３５，３５のうち農業用ハウス内側の樹脂シート材（内側面１００ａ）が支柱４７に当接し、農業用ハウス内側への暖房内壁１００の膨出が規制される。これにより、作物との干渉を確実に防止することができる。なお、支柱４７以外には、ネットや紐、ベルト等が使用されてもよい。また、図２に示すように、側壁１９から妻面部に沿って中途で屈曲し、構成することとしてもよい。
【００４０】
樹脂シート材３５には加熱空気を排気する複数の小孔が穿設されていることが好ましい。給気開口３７から加熱空気が送気されることで、暖房内壁１００内が正圧となり、加熱空気の一部がこの小孔から農業用ハウス内へ排気される。これにより、ハウス内の暖房をムラなく高効率に行うことができる。
【００４１】
小孔は、二重の樹脂シート材３５，３５の双方に穿設することができる。この場合、外側の樹脂シート材３５の小孔から排気される暖気によって外部との温度勾配が小さくなる。つまり、保温性を高めることができる。また、内側の樹脂シート材３５の小孔から排気される暖気によって、ハウス内が暖かい多数の微小排気流によって撹拌される。これにより、ハウス内の暖房をムラなく行うことができる。
【００４２】
また、小孔は、二重の樹脂シート材３５，３５のうち農業用ハウス内側の樹脂シート材３５のみに穿設されてもよい。この場合、内側の樹脂シート材３５の小孔から排気される暖気によって、ハウス内が撹拌される。外側の樹脂シート材３５には小孔が穿設されないことで、暖房内壁１００内に送気される加熱空気の洩れ量が少なくなり、搬送熱量の低下が抑止される。これにより、暖房内壁としての保温効果を高めることができる。
【００４３】
なお、暖房内壁１００は、小孔を設けず、温かい壁面のみとしてもよい。この場合、暖気は暖房内壁１００を通過して開放口４１から排気されるのみとなる。また、開放口４１を閉鎖し、二重の樹脂シート材３５，３５の一方又は双方に小孔を設ける構成としてもよい。この場合、小孔の総面積を調整することで、暖房内壁１００を加熱空気によって膨張させた状態に維持することができ、少ない送気量で、温かい保温壁面を形成することができる。
【００４４】
また、暖房内壁１００は、下長辺部３３に、複数のドレン孔（不図示）を、下長辺部３３に沿って穿設することができる。これにより、温度差で生じる結露水を二重の樹脂シート材３５，３５の間から自然に排水除去することができる。
【００４５】
さらに、暖房内壁１００の下長辺部３３、又は高さ方向中途位置には、暖房内壁１００を巻回する水平方向の巻き上げ用パイプ（不図示）を長辺部に沿って設けてもよい。これにより、暖房不要時やハウス内換気を行う際には巻き上げ用パイプによって暖房内壁１００を巻き上げて収納でき、農業用ハウス側壁１９に設けられた換気口（不図示）等によって換気を行うことができる。
【００４６】
したがって、上記構成の農業用ハウス用暖房内壁１００によれば、農業用ハウス側壁１９と略同一面積を有し、この農業用ハウス両側壁１９，１９に対面して懸吊され、上下長辺部３１，３３が閉塞して面内が複数箇所で溶着された二重の樹脂シート材３５，３５からなり、長手方向一端が加熱空気の供給される給気開口３７を残して閉塞されるとともに長手方向他端が開放されるので、給気開口３７から加熱空気を送気することで、農業用ハウス側壁１９とハウス内部の間に、高温の内壁が介在することとなり、すなわち外気とハウス内との境に、側壁１９と加熱空気を含んだ側壁（暖房内壁１００）とが介在することとなり、農業用ハウス内の温度分布のムラが減り、且つハウス内の保温効果が高まる。この結果、ハウス全体の暖房運転時間を減らすことができ、燃料費を削減することができる。
【００４７】
また、農業用ハウス１１の外壁に加え、側壁がさらに１枚増えたことで、隙間風などの流入をより確実に防ぐことができ、ハウス内の環境を均等に保つことができる。さらに、側壁１９に近い作物に対しては、外気との遮蔽性が従来より高まり、低温障害が生じず、作物の良好な生育が可能となり、収穫率・収穫量の向上、及び品質が向上する。
【実施例】
【００４８】
次に、上述した実施の形態における、具体的な実施例について説明する。
この実施例においては、農業用ハウス内に、上記実施の形態の暖房内壁１００を設けた場合のハウス内温度変化と、暖房内壁１００を設けていない場合のハウス内温度変化について、冬季の夕刻１７時より翌朝８時（１月３１日〜２月１日）までのハウス内に設置された温度計による計測グラフを図５に示す。
このグラフによれば、暖房内壁を設けていない状態（暖房内壁無し：破線）を示す温度変化の線に比べ、暖房内壁１００を設けた状態（暖房内壁有り：実線）を示した温度変化の線は、山谷の数が小さく、すなわち、暖房機の運転回数が減り、且つ、ハウス内維持温度が１度前後高い値を示している。このことから、ハウス内の保温効果を高めていることがわかり、また、暖房運転の総時間が減り、すなわち、暖房機の燃料費を削減することが可能となる。
【図面の簡単な説明】
【００４９】
【図１】本発明に係る農業用ハウス用暖房内壁を備えた農業用ハウスの正面図である。
【図２】図１に示した農業用ハウスの平面図である。
【図３】図１に示した農業用ハウス用暖房内壁の正面視を（ａ）、側面視を（ｂ）で表した構成図である。
【図４】発明に係る農業用ハウス用暖房内壁が設けられた連棟型農業用ハウスの斜視図である。
【図５】本発明の暖房内壁を設けた場合と設けていない場合のハウス内温度変化のグラフである。
【符号の説明】
【００５０】
１１…農業用ハウス
１９…側壁
２５…暖房機
３１…上長辺部
３３…下長辺部
３５…樹脂シート材
３７…給気開口
４３…線状溶着部
４７…支柱
１００…農業用ハウス用暖房内壁
１００ａ…内側面
【図１】
2009207410.tif 000003
【図２】
2009207410.tif 000004
【図３】
2009207410.tif 000005
【図４】
2009207410.tif 000006
【図５】
2009207410.tif 000007